(57)【要約】【課題】プリンタに非純正品のインクカートリッジが装填された場合であっても、その使用が一度許可されたものであれば、警告を行わないようにして、ユーザビリティの向上を図ることができるインクカートリッジ監視システム及びインクカートリッジ監視方法を提供する。【解決手段】プリンタ１は、インクカートリッジの使用を許可するか否かを示す許可情報と当該インクカートリッジを識別する識別情報とを対応づけて記憶するＥＥＰＲＯＭ１３と、前記プリンタに装填されているインクカートリッジの識別情報を検知し、所定の指示があったときに、前記メモリを参照し、前記識別情報に対応する許可情報に基づいて、警告を行うか否かを判定する主制御部１０と、警告を行うと判定された場合に、警告を行うパネル部１８と、を備える。【選択図】図２
2009233902.tif 000002
【特許請求の範囲】
【請求項１】
インクカートリッジが装填されるプリンタのインクカートリッジを監視するインクカートリッジ監視システムにおいて、
インクカートリッジの使用を許可するか否かを示す許可情報と当該インクカートリッジを識別する識別情報とを対応づけて記憶するメモリと、
前記プリンタに装填されているインクカートリッジの識別情報を検知する識別情報検知手段と、
所定の指示があったときに、前記メモリを参照し、前記識別情報に対応する許可情報に基づいて、警告を行うか否かを判定する判定手段と、
前記判定手段により警告を行うと判定された場合に、警告を行う警告手段と、
を有することを特徴とするインクカートリッジ監視システム。
【請求項２】
前記メモリに記憶された識別情報と、前記識別情報検知手段により検知された識別情報との比較結果により、同一インクカートリッジが装填されているか否かを判定する同一インクカートリッジ判定手段と、
前記同一インクカートリッジ判定手段により同一でないと判定された場合に、前記メモリに記憶された識別情報を装填されているインクカートリッジの識別情報に更新する識別情報更新手段と、
前記同一インクカートリッジ判定手段により同一でないと判定された場合に、装填されているインクカートリッジが所定のものであるか否かを判定するインクカートリッジ判定手段と、
前記インクカートリッジ判定手段により所定のものでないと判定された場合に、装填されているインクカートリッジの識別情報に対応する許可情報を未許可に更新する使用許可更新手段と、
を有することを特徴とする請求項１に記載のインクカートリッジ監視システム。
【請求項３】
インクカートリッジの使用許可が入力された場合には、当該インクカートリッジの識別情報に対応する許可情報を許可に更新する使用許可確定手段を有することを特徴とする請求項１または２に記載のインクカートリッジ監視システム。
【請求項４】
装填されているインクカートリッジが所定のものでない場合に、該インクカートリッジのインク残量が所定の閾値以下になると、装填されているインクカートリッジが所定のものでないことを通知する通知手段を有することを特徴とする請求項１から３いずれか１の項に記載のインクカートリッジ監視システム。
【請求項５】
インクカートリッジが装填されるプリンタにおいて、
インクカートリッジの使用を許可するか否かを示す許可情報と当該インクカートリッジを識別する識別情報とを対応づけて記憶するメモリと、
前記プリンタに装填されているインクカートリッジの識別情報を検知する識別情報検知手段と、
所定の指示があったときに、前記メモリを参照し、前記識別情報に対応する許可情報に基づいて、警告を行うか否かを判定する判定手段と、
前記判定手段により警告を行うと判定された場合に、警告を行う警告手段と、
を有することを特徴とするプリンタ。
【請求項６】
インクカートリッジが装填されるプリンタと前記プリンタと接続されるホストからなるインクカートリッジ監視システムにおいて、
インクカートリッジの使用を許可するか否かを示す許可情報と当該インクカートリッジを識別する識別情報とを対応づけて記憶するメモリと、
前記プリンタに装填されているインクカートリッジの識別情報を検知する識別情報検知手段と、
所定の指示があったときに、前記メモリを参照し、前記識別情報に対応する許可情報に基づいて、警告を行うか否かを判定する判定手段と、
前記判定手段により警告を行うと判定された場合に、警告を行う警告手段と、
を有することを特徴とするインクカートリッジ監視システム。
【請求項７】
インクカートリッジの使用を許可するか否かを示す許可情報と当該インクカートリッジを識別する識別情報とを対応づけて記憶するメモリを備え、インクカートリッジが装填されるプリンタのインクカートリッジを監視するインクカートリッジ監視システムにおけるインクカートリッジ監視方法であって、
前記プリンタに装填されているインクカートリッジの識別情報を検知するステップと、
所定の指示があったときに、前記メモリを参照し、前記識別情報に対応する許可情報に基づいて、警告を行うか否かを判定するステップと、
警告を行うと判定された場合に、警告を行うステップと、
を有することを特徴とするインクカートリッジ監視方法。
【発明の詳細な説明】
【技術分野】
【０００１】
本発明は、インクカートリッジ監視システム、プリンタ及びインクカートリッジ監視方法に関する。
【背景技術】
【０００２】
近年、プリンタの製造者や販売者以外の第三者（サードパーティ）が、このプリンタに装填可能なインクカートリッジを製造及び販売する場合がある。しかしながら、このような第三者が製造するインクカートリッジに充填されるインクは、その発色特性がそのプリンタ専用に準備された純正品と一致していない場合が多い。従って、発色特性の異なるインクが充填されたインクカートリッジを、それと気付かずにユーザがプリンタ本体に装填してしまうと、印刷品質が低下してしまう可能性がある。
【０００３】
このような問題を解決する方法としては、プリンタに装填されたインクカートリッジがそのプリンタの純正品として指定されたものであるか否かを自動的にチェックし、プリンタに指定外のインクカートリッジが装填された場合には、ユーザに警告をする方法がある（例えば、特許文献１参照）。
【特許文献１】特開２００１−１０５６２５号公報
【発明の開示】
【発明が解決しようとする課題】
【０００４】
しかしながら、特許文献１に記載された技術では、非純正品のインクカートリッジを検出すると、常に警告を行っていた。このため、プリンタの電源投入時あるいはインクカートリッジ交換時などのインクカートリッジチェックの処理を行うタイミング度に毎回警告が繰り返され、ユーザインターフェースが必要以上に煩わしいという、という問題がある。
本発明は上記の点に鑑みてなされたものであり、その目的は、プリンタに非純正品のインクカートリッジが装填された場合であっても、その使用が一度許可されたものであれば、警告を行わないようにして、ユーザビリティの向上を図ることができるインクカートリッジ監視システム及びインクカートリッジ監視方法を提供することにある。
【課題を解決するための手段】
【０００５】
本発明は上記の課題を解決するためになされたものであり、本発明の一態様は、インクカートリッジが装填されるプリンタのインクカートリッジを監視するインクカートリッジ監視システムにおいて、インクカートリッジの使用を許可するか否かを示す許可情報と当該インクカートリッジを識別する識別情報とを対応づけて記憶するメモリと、前記プリンタに装填されているインクカートリッジの識別情報を検知する識別情報検知手段と、所定の指示があったときに、前記メモリを参照し、前記識別情報に対応する許可情報に基づいて、警告を行うか否かを判定する判定手段と、前記判定手段により警告を行うと判定された場合に、警告を行う警告手段と、を有することを特徴とするインクカートリッジ監視システムである。
【０００６】
また、本発明の一態様は、インクカートリッジが装填されるプリンタにおいて、インクカートリッジの使用を許可するか否かを示す許可情報と当該インクカートリッジを識別する識別情報とを対応づけて記憶するメモリと、前記プリンタに装填されているインクカートリッジの識別情報を検知する識別情報検知手段と、所定の指示があったときに、前記メモリを参照し、前記識別情報に対応する許可情報に基づいて、警告を行うか否かを判定する判定手段と、前記判定手段により警告を行うと判定された場合に、警告を行う警告手段と、を有することを特徴とするプリンタである。
【０００７】
また、本発明の一態様は、インクカートリッジが装填されるプリンタと前記プリンタと接続されるホストからなるインクカートリッジ監視システムにおいて、インクカートリッジの使用を許可するか否かを示す許可情報と当該インクカートリッジを識別する識別情報とを対応づけて記憶するメモリと、前記プリンタに装填されているインクカートリッジの識別情報を検知する識別情報検知手段と、所定の指示があったときに、前記メモリを参照し、前記識別情報に対応する許可情報に基づいて、警告を行うか否かを判定する判定手段と、前記判定手段により警告を行うと判定された場合に、警告を行う警告手段と、を有することを特徴とするインクカートリッジ監視システムである。
【０００８】
また、本発明の一態様は、インクカートリッジの使用を許可するか否かを示す許可情報と当該インクカートリッジを識別する識別情報とを対応づけて記憶するメモリを備え、インクカートリッジが装填されるプリンタのインクカートリッジを監視するインクカートリッジ監視システムにおけるインクカートリッジ監視方法であって、前記プリンタに装填されているインクカートリッジの識別情報を検知するステップと、所定の指示があったときに、前記メモリを参照し、前記識別情報に対応する許可情報に基づいて、警告を行うか否かを判定するステップと、警告を行うと判定された場合に、警告を行うステップと、を有することを特徴とするインクカートリッジ監視方法である。
【０００９】
この発明によれば、インクカートリッジの使用を許可するか否かを示す許可情報を記憶し、記憶された許可情報に基づいて警告を行うか否かを判定する。このため、装填されたインクカートリッジが所定のものでない場合（非純正品）であっても、使用が一度許可されたものであれば、警告を行わない。これにより、ユーザの意思で敢えて使用すると決定したにも拘わらず、何度も警告が繰り返される煩わしさを防止することができる。
【００１０】
また、本発明の一態様は、上記のインクカートリッジ監視システムにおいて、前記メモリに記憶された識別情報と、前記識別情報検知手段により検知された識別情報との比較結果により、同一インクカートリッジが装填されているか否かを判定する同一インクカートリッジ判定手段と、前記同一インクカートリッジ判定手段により同一でないと判定された場合に、前記メモリに記憶された識別情報を装填されているインクカートリッジの識別情報に更新する識別情報更新手段と、前記同一インクカートリッジ判定手段により同一でないと判定された場合に、装填されているインクカートリッジが所定のものであるか否かを判定するインクカートリッジ判定手段と、前記インクカートリッジ判定手段により所定のものでないと判定された場合に、装填されているインクカートリッジの識別情報に対応する許可情報を未許可に更新する使用許可更新手段と、を有することを特徴とする。
【００１１】
この発明によれば、インクカートリッジが交換されると、同一インクカートリッジが装填されているか否かを判定し、同一であれば、その許可情報を保持する。このため、同一インクカートリッジが装填されている間は、装填されたインクカートリッジが所定のものでない場合（非純正品）であっても、警告を行わない。これにより、ユーザの意思で敢えて使用すると決定したにも拘わらず、何度も警告が繰り返される煩わしさを防止することができる。
【００１２】
また、本発明の一態様は、上記のインクカートリッジ監視システムにおいて、インクカートリッジの使用許可が入力された場合には、当該インクカートリッジの識別情報に対応する許可情報を許可に更新する使用許可確定手段を有することを特徴とする。
【００１３】
この発明によれば、インクカートリッジの使用許可が入力された場合には、そのインクカートリッジの許可情報を許可に更新する。これにより、ユーザは、インクカートリッジ監視システムにインクカートリッジの使用許可を入力することができる。
【００１４】
また、本発明の一態様は、上記のインクカートリッジ監視システムにおいて、装填されているインクカートリッジが所定のものでない場合に、該インクカートリッジのインク残量が所定の閾値以下になると、装填されているインクカートリッジが所定のものでないことを通知する通知手段を有することを特徴とする。
【００１５】
この発明によれば、装填されたインクカートリッジが所定のものでない場合に、このインクカートリッジのインク残量が所定の閾値以下になると、装填されているインクカートリッジが所定のものでないことを通知する。これにより、インクカートリッジのインク残量が少なくなった時またはインク残量がなくなった時に純正品と交換するようユーザに促すことができる
【発明を実施するための最良の形態】
【００１６】
以下、図面を参照しながら本発明の実施形態について詳しく説明する。
図１は、本発明の一実施形態による印刷システムの構成を示すブロック図である。この図に示されるように、プリンタ１は、複数のホストコンピュータ２から、ＬＡＮ等のネットワーク３を介して夫々接続されている。なお、プリンタ１は、一台のホストコンピュータ２に対してローカル接続されていても良い。ホストコンピュータ２は、パーソナルコンピュータ、ワーキングステーション、サーバなどの装置である。
【００１７】
図２は、本実施形態におけるプリンタ１のハードウェア構成を示すブロック図である。
この図に示されるように、プリンタ１は、相互に接続された主制御部１０及び入出力制御部１１と、入出力制御部１１に夫々接続されたネットワーク・インタフェース（ネットワークＩ／Ｆ）１５、ＨＤＤ１２、ＥＥＰＲＯＭ１３及び２つのコネクタ１９、１９と、主制御部１０に夫々接続されたＳＤＲＡＭ１４、印刷エンジン１６、搬送装置１７及びパネル部１８とから、構成されている。
【００１８】
識別情報検知手段、警告手段、使用許可確定手段、同一インクカートリッジ判定手段、使用許可更新手段、識別情報更新手段、としての主制御部１０は、図示せぬＣＰＵ、ＲＯＭ、メモリコントローラ、及びＩ／Ｏ制御回路等を有し、ＲＯＭ内に格納された各種プログラムモジュールに従い、入出力制御部１１から受け取った各種データ及び各種コマンド、並びに、パネル部１８から入力された各種指示に基づいて、ＳＤＲＡＭ１４、ネットワーク・インタフェース（ネットワークＩ／Ｆ）１５、印刷エンジン１６、搬送装置１７及びパネル部１８を制御するとともに、ネットワークＩ／Ｆ１５及び入出力制御部１１を介して受信した印刷データから印刷イメージを生成して、この印刷イメージに基づいた印刷を印刷エンジン１６に行わしめる。
【００１９】
ＳＤＲＡＭ１４は、主制御部１０による作業領域が展開されるメモリであり、このＳＤＲＡＭ１４上において、印刷データが印刷イメージとして展開される。搬送装置１７は、図示せぬ用紙カートリッジ又は用紙トレイに収容されている用紙を、印刷エンジン１６による印刷位置へ、さらに、図示せぬ排紙トレイへ、一枚づつ搬送する。
【００２０】
印刷エンジン１６は、主走査方向（搬送装置１７による用紙の搬送方向に直交する方向）へ往復移動するＹ（イエロー）Ｍ（マゼンタ）Ｃ（シアン）Ｋ（黒）各色毎の印刷ヘッドを有しており、主制御部１０からの制御内容に応じて、各色のインクを適所に適量吹
き付ける。なお、各印刷ヘッドは、一度に多数毎の印刷を行うのに必要最低限のインクを貯留するタンクを有しており、印刷エンジン１６には、各印刷ヘッド内のタンクに貯留されているインクが一定量を下回ると後述する各インクカートリッジ３０、３１から同色のインクを抽出してそのタンクへ自律的に注入する機構が、備えられている。
【００２１】
パネル部１８は、プリンタ１の主電源の入／切や用紙の排出等の各種設定を入力するためのパネルスイッチと各種情報用のインジケータとを有する入出力装置である。ＨＤＤ１２は、未印刷の印刷データやこれに基づいて生成された中間データを一次保存しておくための記憶装置である。
【００２２】
ＥＥＰＲＯＭ１３（メモリ）は、主制御部１０によってインクカートリッジ情報（識別情報）及び後述するカートリッジ使用許可情報（許可情報）が保存される不揮発性メモリである。インクカートリッジ情報には、各スロットに挿入されているインクカートリッジのインクカートリッジ個別情報が記憶されている。ここで、スロットとは、インクカートリッジが装填されるカートリッジホルダのことである。インクカートリッジ個別情報はインクカートリッジをそれぞれ識別する情報である。インクカートリッジ個別情報には、そのインクカートリッジの製造元と、製造年月と、型番と、カートリッジ名称と、インク種類（黒又はカラー）と、個別ＩＤとが含まれる。
【００２３】
２つのコネクタ１９、１９は、各インクカートリッジ３０、３１がプリンタ１に装填された時に、これら各インクカートリッジ３０、３１に内蔵されたＩＣチップ３０ａ、３１ａに夫々接続される。なお、一方のインクカートリッジ３０は、ＹＭＣ三色のインクが夫
々充填される３つのインクタンクを内包するカラーインクカートリッジであり、他方のインクカートリッジ３１は、黒のインクが充填されるインクタンクを内包する黒インクカートリッジである。これら各インクカートリッジ３０、３１のＩＣチップ３０ａ、３１ａには、インクカートリッジ個別情報が記憶されている。
【００２４】
ネットワークＩ／Ｆ１５は、ネットワーク３の種類に応じた通信装置であり、入出力制御部１１からネットワーク３へ向けて送出されるデータをパケットに格納してネットワーク３へ送り出したり、ネットワーク３から受信したパケットからデータを取り出して入出力制御部１１へ渡す。入出力制御部１１は、主制御部１０からの指示に従って、ＨＤＤ１２、ＥＥＰＲＯＭ１３、各インクカートリッジ３０、３１のＩＣチップ３０ａ、３１ａに対するデータ書き込みやデータ読み出し、並びに、ネットワークＩ／Ｆ１５に対するデータの送受信を行う。
【００２５】
図３は、本実施形態におけるプリンタ１の主制御部１０の機能構成を示すブロック図である。
主制御部１０は、同一インクカートリッジ判定部１０１と、非純正インクカートリッジ判定部１０２と、非純正インクカートリッジ未許可判定部１０３と、非純正インクカートリッジ使用確定部１０４と、非純正インクカートリッジ使用許可確定部１０５と、使用許可情報更新部１０６と、非純正インクカートリッジ使用通知部１０７と、を有する。
【００２６】
同一インクカートリッジ判定部１０１（同一インクカートリッジ判定手段）は、プリンタ１の電源投入或いは何れかのインクカートリッジの交換を検出した時に、同一インクカートリッジが装填されているか否かを判定する。つまり、同一インクカートリッジ判定部１０１は、現在装填されているインクカートリッジが前回装填されていたインクカートリッジと同一インクカートリッジであるか否かを判定する。
【００２７】
非純正インクカートリッジ判定部１０２（インクカートリッジ判定手段）は、ＥＥＰＲＯＭ１３に記憶されているインクカートリッジ情報に基づいて、そのインクカートリッジが純正品であるか（所定のものであるか）否かを判定する。具体的には、例えば、非純正インクカートリッジ判定部１０２は、インクカートリッジの個別ＩＤに特定のコードがある場合に純正品であると判定する。あるいは、非純正インクカートリッジ判定部１０２は、インクカートリッジの型番が規定のものと一致する場合に、純正品であると判定してもよい。なお、純正品であるか否かの判定方法は上述したものに限られることはなく、他の方法で判定を行ってもよい。
【００２８】
使用許可情報更新部１０６（使用許可更新手段）は、同一インクカートリッジ判定部１０１及び非純正インクカートリッジ判定部１０２の判定結果に基づいてカートリッジ使用許可情報を更新する。非純正インクカートリッジ未許可判定部１０３は、現在装填されているインクカートリッジの中に、ユーザから使用がまだ許可されていないインクカートリッジ（以下、未許可インクカートリッジとする）があるか否かを判定する。
【００２９】
非純正インクカートリッジ使用確定部１０４は、ユーザからの入力に基づいて、未許可インクカートリッジの使用を許可することを確定し、非純正インクカートリッジ使用許可確定部１０５へその結果を出力する。非純正インクカートリッジ使用許可確定部１０５（使用許可確定手段）は、非純正インクカートリッジ使用確定部１０４からの入力を受けて、カートリッジ使用許可情報を更新する。
【００３０】
非純正インクカートリッジ使用通知部１０７（通知手段）は、スロットに装填されたインクカートリッジに第三者が製造する非純正品があった場合には、インクカートリッジのインク残量が所定の閾値以下になると、非純正品が装填されていることをユーザに通知する画面の表示をパネル部１８に要求する。ここで、非純正インクカートリッジ使用通知部１０７は、カートリッジ使用許可情報を参照して、「純正／非純正」欄が「非純正」のスロットがあれば、非純正品のインクカートリッジが装填されていると判定する。これにより、プリンタ１は、インクカートリッジのインク残量が少なくなった時またはインク残量がなくなった時に純正品と交換するようユーザに促すことができる。
【００３１】
図４は、本実施形態におけるＥＥＰＲＯＭ１３に記憶されるカートリッジ使用許可情報のデータ構成およびデータ例を示す概略図である。
図示するように、カートリッジ使用許可情報は、行と列からなる２次元の表形式のデータであり、スロット番号と、個別ＩＤと、許可情報と、純正／非純正の各項目の列を有している。カートリッジ使用許可情報の各行は、スロット毎に存在する。個別ＩＤは、スロットに装填されているインクカートリッジの個別ＩＤである。許可情報は、スロットに装填されているインクカートリッジの使用をユーザが許可したか否かを示す情報である。純正／非純正は、スロット装填されているインクカートリッジがプリンタ１の純正品として指定された製品か否かを示す情報である。
【００３２】
図５は、本実施形態の主制御部１０におけるカートリッジチェック処理の流れの一例を示すフローチャートである。
この図に示す処理は、プリンタ１の電源投入時或いは何れかのインクカートリッジが交換されると（所定の指示があったときに）スタートする。そして、スタートの後、最初のステップＳ１において、主制御部１０は、最初にカートリッジチェックを行うスロットを選択する。主制御部１０は、選択したスロットに対して以下のステップＳ２からステップＳ６までの処理を行う。
【００３３】
次のステップＳ２では、同一インクカートリッジ判定部１０１が、現在装填されているインクカートリッジが、前回装填されていたインクカートリッジと同一インクカートリッジであるか否かを判定する。具体的には、同一インクカートリッジ判定部１０１は、まず、現在装填されているインクカートリッジの個別ＩＤを取得する。次に、同一インクカートリッジ判定部１０１は、取得した個別ＩＤとインクカートリッジ情報に記憶されているインクカートリッジ個別情報の個別ＩＤとを比較して、比較した結果、等しければ同一のインクカートリッジが装填されていると判定する。なお、同一インクカートリッジ判定部１０１は、各インクカートリッジ３０、３１のＩＣチップ３０ａ、３１ａから夫々インクカートリッジ個別情報を読み出して（識別情報検知手段に相当）、現在装填されているインクカートリッジの個別ＩＤを取得する。
【００３４】
判定の結果、同一である場合には、主制御部１０は、インクカートリッジの交換がなかったと判定して、ステップＳ７に進む。一方、同一でない場合には、主制御部１０は、インクカートリッジの交換があったと判定して、ステップＳ３に進む。
【００３５】
次のステップＳ３では、同一インクカートリッジ判定部１０１がインクカートリッジ情報を更新する（識別情報更新手段に相当）。具体的には、同一インクカートリッジ判定部１０１は、現在スロットに装填されているインクカートリッジのインクカートリッジ個別情報を取得し、インクカートリッジ情報に記憶されているインクカートリッジ個別情報を取得したインクカートリッジ個別情報に書き換える。
【００３６】
次のステップＳ４では、非純正インクカートリッジ判定部１０２が、現在装填されているインクカートリッジが純正品であるか否かを判定する。純正品である場合には、ステップＳ５進む。一方、純正品でない場合には、ステップＳ６へ進む。ステップＳ５では、使用許可情報更新部１０６がカートリッジ使用許可情報の「許可情報」欄を「未許可」に、「純正／非純正」の欄を「純正」に更新する。ステップＳ６では、使用許可情報更新部１０６がカートリッジ使用許可情報の「許可情報」欄を「未許可」に、「純正／非純正」欄を「非純正」に更新する。
【００３７】
次のステップＳ７では、上記ステップＳ２からＳ６の処理が全てのスロットについて行われたか否かを判定する。全てのスロットが終了していない場合には、次のステップＳ８で、カートリッジチェックを行うスロットを選択し、選択したスロットに対してステップＳ２からＳ６の処理を行う。つまり、主制御部１０は、ステップＳ２からＳ６までの処理を全てのスロットに対して行う。一方、全てのスロットが終了した場合には、次のステップＳ９へ進む。
【００３８】
次のステップＳ９では、使用許可情報更新部１０６がカートリッジ使用許可情報において、「純正／非純正」欄が「純正」であるスロットの「許可情報」欄を全て「許可」に更新する。つまり、純正品が装填されたスロットはユーザからの使用許可されているものとする。
【００３９】
次のステップＳ１０では、非純正インクカートリッジ未許可判定部１０３が、未許可インクカートリッジが装填されているか否かを判定する（判定手段に相当）。具体的には、非純正インクカートリッジ未許可判定部１０３は、カートリッジ使用許可情報の「許可情報」欄が「未許可」となっているスロットがある場合に、未許可インクカートリッジがあると判定する。一方、非純正インクカートリッジ未許可判定部１０３は、カートリッジ使用許可情報の「許可情報」の欄が全て「許可」となっている場合には、未許可インクカートリッジはないと判定する。判定の結果、未許可インクカートリッジが装填されている場合には、ステップＳ１１へ進む。一方、未許可インクカートリッジが装填されていない場合には、カートリッジチェック処理を終了する。
【００４０】
次のステップＳ１１では、非純正インクカートリッジ未許可判定部１０３が、図６に示すワーニングメッセージ（警告）を含む非純正カートリッジ使用確認画面の表示をパネル部１８に要求して（警告手段に相当）、処理を終了する。この非純正カートリッジ使用確認画面では、ユーザが「使用する」及び「使用しない」を選択することができる。
【００４１】
図７は、本実施形態の主制御部１０における処理の流れの一例を示すフローチャートである。この図に示す処理は、非純正カートリッジ使用確認画面において、「使用する」が選択された場合にスタートする。そして、スタートの後、最初のステップＳ１０１において、主制御部１０は、最初にカートリッジチェックを行うスロットを選択する。主制御部１０は、選択したスロットに対して以下のステップＳ１０２、Ｓ１０３の処理を行う。
【００４２】
次のステップＳ１０２では、非純正インクカートリッジ使用許可確定部１０５は、スロットに装填されているインクカートリッジが未許可インクカートリッジか否かを判定する。具体的には、非純正インクカートリッジ使用許可確定部１０５は、カートリッジ使用許可情報の「許可情報」欄が「未許可」になっている場合に、未許可インクカートリッジであると判定する。未許可インクカートリッジであると判定された場合は、次のステップＳ１０３へ進む。一方、未許可インクカートリッジではないと判定された場合には、ステップＳ１０４へ進む。
【００４３】
次のステップＳ１０３では、非純正インクカートリッジ使用許可確定部１０５が、カートリッジ使用許可情報の「許可情報」欄を「許可」に更新して（使用許可確定手段に相当）、次のステップＳ１０４へ進む。
【００４４】
次のステップＳ１０４では、ステップＳ１０２、１０３の処理が全てのスロットについて行われたか否かを判定する。全てのスロットが終了していない場合には、次のステップＳ１０５で次のスロットを選択し、選択したスロットに対してステップＳ１０２、Ｓ１０３の処理を行う。一方、全てのスロットが終了した場合には、処理を終了する。つまり、主制御部１０は、全てのスロットのインクカートリッジの使用を許可する。
【００４５】
図８は、本実施形態の主制御部１０における処理の流れの一例を示すフローチャートである。この図に示す処理は、非純正カートリッジ使用確認画面において、「使用しない」が選択された場合にスタートする。そして、スタートの後、最初のステップＳ２０１において、主制御部１０は、最初にカートリッジチェックを行うスロットを選択する。主制御部１０は、選択したスロットに対して以下のステップＳ２０２、Ｓ２０３の処理を行う。
【００４６】
次のステップＳ２０２では、非純正インクカートリッジ使用許可確定部１０５は、スロットに装填されているインクカートリッジが未許可インクカートリッジか否かを判定する。未許可インクカートリッジであると判定された場合は、次のステップＳ２０３へ進む。一方、未許可インクカートリッジではないと判定された場合には、ステップＳ２０４へ進む。
【００４７】
次のステップＳ２０３では、非純正インクカートリッジ使用確定部１０４が、図９に示す交換を促すメッセージを含むカートリッジエラー画面の表示をパネル部１８に要求して、次のステップＳ２０４へ進む。
【００４８】
次のステップＳ２０４では、ステップＳ２０２、２０３の処理が全てのスロットについて行われたか否かを判定する。全てのスロットが終了していない場合には、次のステップＳ２０５で次のスロットを選択し、選択したスロットに対してステップＳ２０２、Ｓ２０３の処理を行う。一方、全てのスロットが終了した場合には、処理を終了する。つまり、主制御部１０は、１つでも未許可インクカートリッジが装填されていた場合には、パネル部１８にカートリッジエラー画面を表示する。
【００４９】
このように、本実施形態によれば、プリンタ１は、インクカートリッジの使用をユーザが許可したか否かを示す許可情報を記憶する。また、プリンタ１は、インクカートリッジが交換された場合に、新たに装填されたインクカートリッジが、それまで装填されていたインクカートリッジと同一であるか否かを判定し、同一であれば、その許可情報を保持する。このため、新たに装填されたインクカートリッジが非純正品であっても、ユーザが一度許可したものであれば、非純正カートリッジ使用確認画面を表示しない。これにより、ユーザの意思で敢えて使用すると決定したにも拘わらず、何度も警告が繰り返される煩わしさを防止することができる。
【００５０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００５１】
例えば、本実施形態では、主制御部１０の機能をプリンタ１に設けたが、主制御部１０の機能は、ホストコンピュータ２に設けてもよいし、プリンタ１に設けてもよい。
【００５２】
また、本実施形態では、カートリッジ使用許可情報を各スロットに対して最新の１件のみ記憶しているが、これまで装填されたインクカートリッジのカートリッジ使用許可情報を複数記憶してもよい。このとき、主制御部１０は、新たに装填されたインクカートリッジが、過去にユーザから使用許可されたものであった場合には、非純正品であっても非純正カートリッジ使用確認画面を表示しない。
【図面の簡単な説明】
【００５３】
【図１】本発明の一実施形態による印刷システムの構成を示すブロック図である。
【図２】本実施形態におけるプリンタのハードウェア構成を示すブロック図である。
【図３】本実施形態におけるプリンタの主制御部の機能構成を示すブロック図である。
【図４】本実施形態におけるＥＥＰＲＯＭに記憶されるカートリッジ使用許可情報のデータ構成およびデータ例を示す概略図である。
【図５】本実施形態の主制御部におけるカートリッジチェック処理の流れの一例を示すフローチャートである。
【図６】本実施形態におけるワーニングメッセージ（警告）を含む非純正カートリッジ使用確認画面の表示例である。
【図７】本実施形態の主制御部における処理の流れの一例を示すフローチャートである。
【図８】本実施形態の主制御部における処理の流れの一例を示すフローチャートである。
【図９】本実施形態における交換を促すメッセージを含むカートリッジエラー画面の表示例である。
【符号の説明】
【００５４】
１…プリンタ  ２…ホストコンピュータ  ３…ネットワーク  １１…入出力制御部  １２…ＨＤＤ  １３…ＥＥＰＲＯＭ  １４…ＳＤＲＡＭ  １５…ネットワークＩ／Ｆ  １６…印刷エンジン  １７…搬送装置  １８…パネル部  １９…コネクタ  ３０…インクカートリッジ（黒）  ３０ａ…ＩＣチップ  ３１…インクカートリッジ（カラー）  ３１ａ…ＩＣチップ  １０１…同一インクカートリッジ判定部  １０２…非純正インクカートリッジ判定部  １０３…非純正インクカートリッジ未許可判定部  １０４…非純正インクカートリッジ使用確定部  １０５…非純正インクカートリッジ使用許可確定部  １０６…使用許可情報更新部
【図１】
2009233902.tif 000003
【図２】
2009233902.tif 000004
【図３】
2009233902.tif 000005
【図４】
2009233902.tif 000006
【図５】
2009233902.tif 000007
【図６】
2009233902.tif 000008
【図７】
2009233902.tif 000009
【図８】
2009233902.tif 000010
【図９】
2009233902.tif 000011